(57)【要約】【課題】蓄電モジュールの蓄電装置間の短絡を防止するための蓄電装置の検査方法を提供することを課題とする。【解決手段】金属製のケース１ａ内に電極組立体及び電解液を収容した蓄電装置１が複数接続されて構成される蓄電モジュールの蓄電装置１の検査方法であって、一対の金属製の拘束部材１０，１０によって絶縁部材１１を介在させた状態で蓄電装置１を挟み込む挟込工程と、蓄電装置１の両側から絶縁部材１１を介在させて一対の拘束部材１０で拘束した状態で、拘束部材１０とケース１ａとの間で短絡検査（例えば、抵抗検査）を行う検査工程とを含み、この短絡検査で短絡が検出された場合にはケース１ａに絶縁部材１１を破るような突起物Ｐがあると推測できるので、その蓄電装置１を蓄電モジュールに使わない。【選択図】図２
2015095312.tif 000002
【特許請求の範囲】
【請求項１】
金属製のケース内に電極組立体及び電解液を収容した蓄電装置が複数接続されて構成される蓄電モジュールの前記蓄電装置の検査方法であって、
一対の金属製の拘束部材によって絶縁部材を介在させた状態で前記蓄電装置を挟み込む挟込工程と、
前記蓄電装置の両側から前記絶縁部材を介在させて一対の前記拘束部材で拘束した状態で、前記拘束部材と前記ケースとの間で短絡検査を行う検査工程と、
を含む、蓄電装置の検査方法。
【請求項２】
前記短絡検査は、抵抗検査である、請求項１に記載の蓄電装置の検査方法。
【請求項３】
前記蓄電モジュールにおいて前記蓄電装置の前記ケースと放熱用の金属製部材との間に絶縁フィルムが介在されており、
前記絶縁部材は、前記絶縁フィルムと同じ材質であり、前記絶縁フィルムと同じ厚みである、請求項１又は請求項２に記載の蓄電装置の検査方法。
【請求項４】
前記検査工程は、前記蓄電モジュールに組み付けられる前に前記蓄電装置に充電する工程で実施される、請求項１〜請求項３のいずれか１項に記載の蓄電装置の検査方法。
【発明の詳細な説明】
【技術分野】
【０００１】
本発明は、蓄電装置の検査方法に関する。
【背景技術】
【０００２】
蓄電モジュールは、所定の配列方向に沿って配列された複数の蓄電装置がエンドプレート間に拘束されており、蓄電装置間には蓄電装置で発生した熱を放熱するための金属製の部材（放熱部材、放熱部材に熱を伝える伝熱部材等）が介在されている。各蓄電装置は、金属製のケース内に電極組立体及び電解液等を収容している。また、放熱用の金属製部材を介在させた蓄電装置間には、短絡を防止するために、金属製のケースと放熱用の金属製部材との間に絶縁フィルムが設けられている。図３には、蓄電モジュールの蓄電装置１００，１００間の一例が示されており、蓄電装置１００のケース１００ａと放熱用の金属製部材１０１との間に絶縁フィルム１０２が設けられている。
【０００３】
蓄電装置のケースの表面には、製造中や運搬中等にキズや打痕等ができる場合がある。このキズや打痕等が突起状のものの場合、ケースに接する絶縁フィルムを破ってしまう可能性がある。絶縁フィルムが破られると金属製のケースと放熱用の金属製部材との間とが短絡するので、そのような突起状のものがあるかを検査しておく必要がある。例えば、特許文献１には、電池ユニットを電槽に収納した状態で集電板の折曲部に対応する箇所を極板群の積層方向に加圧し、電槽と集電板との短絡検査を行う角形電池の短絡検査方法が開示されている。集電板の折曲部に突起異物が存在する場合、加圧することにより突起異物によって集電板上に貼付けられている集電板絶縁テープが突き破られるため、電槽と集電板とが短絡するので、そのような突起異物を短絡不良として検出できることが開示されている。
【先行技術文献】
【特許文献】
【０００４】
【特許文献１】特開２００８−１８１８５８号公報
【発明の概要】
【発明が解決しようとする課題】
【０００５】
特許文献１に開示されているのは、単体の蓄電装置での短絡検査であり、ケース（電槽）とそのケース内の集電板との短絡検査を行うことによって、ケース内部における集電板の折曲部に存在する突起異物等を検出している。複数の蓄電装置からなる蓄電モジュールの場合、図３に示すように、隣接する蓄電装置１００，１００の各ケース１００ａ，１００ａ共に突起物Ｐ，Ｐが存在し、その各突起物Ｐ，Ｐで絶縁フィルム１０２，１０２をそれぞれ破ってしまうと、放熱用の金属製部材１０１を介してケース１００ａ，１００ａ間が短絡する。すると、ケース１００ａの電位が変化し、ケース１００ａ内の電極組立体の正極とケース１００ａ間の電位差によりケース１００ａ内の電解液が分解する可能性がある。したがって、蓄電モジュールの場合、蓄電モジュールの蓄電装置１００，１００間の短絡を防止するために、蓄電装置１００のケース１００ａの外部に突起物等があるかを検査することが重要となる。
【０００６】
そこで、本技術分野においては、蓄電モジュールの蓄電装置間の短絡を防止するための蓄電装置の検査方法が要請されている。
【課題を解決するための手段】
【０００７】
本発明の一側面に係る蓄電装置の検査方法は、金属製のケース内に電極組立体及び電解液を収容した蓄電装置が複数接続されて構成される蓄電モジュールの蓄電装置の検査方法であって、一対の金属製の拘束部材によって絶縁部材を介在させた状態で蓄電装置を挟み込む挟込工程と、蓄電装置の両側から絶縁部材を介在させて一対の拘束部材で拘束した状態で、拘束部材とケースとの間で短絡検査を行う検査工程とを含む。
【０００８】
この検査方法では、まず、蓄電装置（ケース）の各面と拘束部材との間に絶縁部材をそれぞれ配置させて、絶縁部材を介在させた状態で一対の拘束部材によって蓄電装置を挟み込む。蓄電装置が挟み込まれる面は、蓄電モジュールで複数の蓄電装置が配列される方向の面（隣り合う蓄電装置が対向する面）であり、蓄電モジュールにおいて絶縁部材を介在させて放熱用の金属製部材が配置される側の面である。拘束部材は、金属製である。絶縁部材は、蓄電モジュールにおいて蓄電装置のケースと放熱用の金属製部材との間に設けられる絶縁部材と材料（材質）や厚み等が同じ部材かあるいはそれと同程度の部材であり、蓄電モジュールで使われる絶縁部材自体でもよい。そして、この検査方法では、一対の拘束部材間で蓄電装置を拘束した状態で、拘束部材と蓄電装置のケースとの間で短絡検査を行う。この短絡検査で短絡が検出されなかった場合、ケースと拘束部材との間が絶縁部材で絶縁されており、ケースには絶縁部材を破るような突起物がないと推測される。一方、短絡検査で短絡が検出された場合、ケースと拘束部材との間が絶縁部材で絶縁されておらず、ケースには絶縁部材を破るような突起物があると推測される。この場合、この蓄電装置を用いると隣り合う蓄電装置間で放熱用の金属製部材を介して短絡する可能性があるので、この絶縁不良となる蓄電装置を蓄電モジュールには使わない。このように、この検査方法によれば、蓄電装置の両側に絶縁部材を介在させて一対の金属製の拘束部材で拘束した状態でケースと拘束部材との間の短絡検査を行うことにより、ケースには絶縁部材を破るような突起物があるか否か（ひいては、絶縁不良となる蓄電装置か否か）を推測（判定）できるので、蓄電モジュールの蓄電装置間の短絡を防止することができる。
【０００９】
一形態の蓄電装置の検査方法では、短絡検査は、抵抗検査である。短絡検査として抵抗検査を行うことにより、検出された抵抗値が小さい場合、ケースと拘束部材との間の抵抗が小さいので、ケースと拘束部材との間が絶縁部材で絶縁されておらず、ケースには突起物があると推測できる。
【００１０】
一形態の蓄電装置の検査方法では、蓄電モジュールにおいて蓄電装置のケースと放熱用の金属製部材との間に絶縁フィルムが介在されており、絶縁部材は、絶縁フィルムと同じ材質であり、絶縁フィルムと同じ厚みである。このように蓄電モジュールにおいて実際に用いられている絶縁フィルムと同じ材質で同じ厚みの絶縁部材を用いて短絡検査を行うので、蓄電モジュールにおける実際の状況に則した検査を行うことができる。
【００１１】
一形態の蓄電装置の検査方法では、検査工程は、蓄電モジュールに組み付けられる前に蓄電装置に充電する工程で実施される。このように蓄電装置の充電工程を利用して短絡検査を行うので、短絡検査専用で蓄電装置を拘束部材で拘束する必要がなく、検査コストや検査工数を低減できる。
【発明の効果】
【００１２】
本発明によれば、蓄電モジュールの蓄電装置間の短絡を防止することができる。
【図面の簡単な説明】
【００１３】
【図１】本実施の形態に係る蓄電装置からなる蓄電モジュールを模式的に示す平面図である。
【図２】本実施の形態に係る蓄電装置の検査時の構成を模式的に示す側面図である。
【図３】蓄電モジュールの隣接する蓄電装置間で短絡が発生した場合を模式的に示す側面図である。
【発明を実施するための形態】
【００１４】
以下、図面を参照して、本発明に係る蓄電装置の検査方法の実施の形態を説明する。なお、各図において同一又は相当する要素については同一の符号を付し、重複する説明を省略する。
【００１５】
本実施の形態に係る蓄電装置の検査方法は、蓄電装置が製造された後（蓄電モジュールに組み付けられる前）に行う蓄電装置に対する充放電工程（少なくとも蓄電装置に充電を行う工程であり、放電を行わない場合もある）を利用して行う検査に適用する。充放電工程は、正極と負極との間の反応を均一化する目的（また、蓄電装置内で発生するガスによる膨張を抑制する目的もある）で、蓄電装置を一対の拘束板で挟んで拘束圧をかけながら充放電を行う工程である。検査で不良品と判定された蓄電装置は、蓄電モジュールに使われない。
【００１６】
図１及び図２を参照して、本実施の形態に係る蓄電装置１の検査方法について説明する。図１は、蓄電装置１からなる蓄電モジュールを模式的に示す平面図である。図２は、蓄電装置１の検査時の構成を模式的に示す側面図である。
【００１７】
検査方法について説明する前に、図１を参照して、蓄電モジュールＭの構成について説明しておく。蓄電モジュールＭは、複数の蓄電装置１が放熱板２を介して配列され、その配列体が配列方向の両端面にそれぞれ配置された一対のエンドプレート３，３間に拘束された状態で構成されている。本実施の形態では、放熱板２が特許請求の範囲に記載する放熱用の金属製部材に相当する。なお、ここで説明する蓄電モジュールＭの構成は一例であり、他の様々な構成の蓄電モジュールを適用できる。
【００１８】
蓄電装置１は、角型の蓄電装置である。複数の蓄電装置１は、所定の配列方向（角型の蓄電装置の最も広い面同士が接する配列方向であり、正極及び負極が積層される方向）に沿って配列された状態でエンドプレート３，３間に挟み込まれることで拘束圧が付加され、拘束される。以下に、蓄電装置１（特に、リチウムイオン二次電池）の構成について説明する。なお、以下で説明する蓄電装置１の構成は一例であり、他の様々な構成の蓄電装置を適用できる。
【００１９】
蓄電装置１は、ケース１ａ、電解液、電極組立体を主に備えている。ケース１ａは、電解液及び電極組立体を収容するケースであり、角型である。ケース１ａは、アルミニウムやステンレス鋼等の金属によって形成されている。電解液は、ケース１ａ内に収容され、電極組立体内に含浸される。電解液は、例えば、有機溶媒系又は非水系の電解液である。
【００２０】
電極組立体は、正極、負極及び正極と負極とを絶縁するセパレータを備えている。電極組立体は、シート状の複数の正極と複数の負極及びシート状（または袋状）の複数のセパレータが積層されて構成されている。電極組立体は、ケース１ａ内に収容され、ケース１ａ内において電解液に満たされている。
【００２１】
正極は、金属箔と、金属箔の少なくとも一面に形成された正極活物質層からなる。正極は、金属箔の端部に正極活物質層が形成されていないタブを有する。タブは、正極の上縁部に延び、導電部材を介して正極端子１ｂに接続されている。金属箔は、例えば、アルミニウム箔、アルミニウム合金箔である。正極活物質層は、正極活物質、バインダを含んでいる。正極活物質層は、導電助剤を含んでいてもよい。正極活物質は、例えば、複合酸化物、金属リチウム、硫黄である。複合酸化物は、マンガン、ニッケル、コバルト及びアルミニウムの少なくとも１つとリチウムとを含む。バインダは、例えば、ポリアミドイミド、ポリイミド等の熱可塑性樹脂、主鎖にイミド結合を有するポリマ樹脂である。導電助剤は、例えば、カーボンブラック、黒鉛、アセチレンブラック、ケッチェンブラック（登録商標）である。
【００２２】
負極は、金属箔と、金属箔の少なくとも一面に形成された負極活物質層からなる。負極は、金属箔の端部に負極活物質層が形成されていないタブを有する。タブは、負極の上縁部に延び、導電部材を介して負極端子１ｃに接続されている。金属箔は、例えば、銅箔、銅合金箔である。負極活物質層は、負極活物質、バインダを含んでいる。負極活物質層は、導電助剤を含んでいてもよい。負極活物質は、例えば、黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素である。バインダ、導電助剤は、正極で示した同様のバインダ、導電助剤を適用できる。
【００２３】
セパレータは、正極と負極とを隔離し、両極の接触による電流の短絡を防止しつつ、リチウムイオンを通過させるものである。セパレータは、例えば、ポリエチレン（ＰＥ）、ポリプロピレン（ＰＰ）等のポリオレフィン系樹脂からなる多孔質フィルム、ポリプロピレン、ポリエチレンテレフタレート（ＰＥＴ）、メチルセルロース等からなる織布又は不織布である。
【００２４】
複数の蓄電装置１は、上記の配列方向に沿って配列される際に、隣り合う蓄電装置１，１間で正極端子１ｂと負極端子１ｃとの位置が交互になるように配列される。そして、隣り合う蓄電装置１，１間で正極端子１ｂと負極端子１ｃとが接続部材１ｄでそれぞれ接続され、複数の蓄電装置１が電気的に直列に接続されている。
【００２５】
蓄電装置１のケース１ａにおける上記の配列方向の両側の各表面には、絶縁フィルム４，４がそれぞれ貼り付けられている。したがって、絶縁フィルム４は、ケース１ａと放熱板２（エンドプレート３の場合もある）との間に介在される。絶縁フィルム４は、隣り合う蓄電装置１，１間の短絡を防止するための絶縁部材である。絶縁フィルム４は、従来の蓄電モジュールに用いられている周知のものを適用できる。絶縁フィルム４は、蓄電装置１のケース１ａにおける上記の配列方向の面を十分に覆うことができる大きさの矩形状である。蓄電装置１から放熱板２への伝熱性を低下させないために、絶縁フィルム４の厚みは、薄いほうが好ましい。本実施の形態では、絶縁フィルム４が特許請求の範囲に記載する絶縁フィルムに相当する。なお、複数の蓄電装置１はエンドプレート５，５間で拘束されているので、絶縁フィルム４をケース１ａの両側の表面に貼り付けないで、ケース１ａと放熱板２（あるいは、エンドプレート５）との間に挟んでいる状態だけでもよい。
【００２６】
放熱板２は、蓄電装置１で発生した熱を放熱するための部材である。放熱板２は、所定の厚みを有する板状であり、絶縁フィルム４と接する面が蓄電装置１における上記の配列方向の面よりも十分に大きい面である。放熱板２は、アルミニウムやステンレス鋼等の金属によって形成されている。なお、蓄電装置１で発生した熱を放熱するための部材を放熱板２としているが、これ以外の構成で放熱を行ってもよい。例えば、蓄電装置１，１間に伝熱プレートを介在させ、その伝熱プレートとから放熱部材や冷却部材等に熱を伝えて放熱する構成とする。
【００２７】
エンドプレート３は、上記の配列方向に沿って配列された複数の蓄電装置１の両端部に配置されて、配列された複数の蓄電装置１に両側から拘束圧を付加して拘束するための部材である。エンドプレート３は、板状であり、絶縁フィルム４と接する面が蓄電装置１における上記の配列方向の面よりも十分に大きい面である。エンドプレート３は、拘束圧を付加できる十分な厚みを有している。エンドプレート３には、連結部材３ａを挿入できる径の貫通孔（図示せず）が複数開口されている。この貫通孔の位置は、例えば、エンドプレート３の四隅の角部周辺である。連結部材３ａは、棒状の部材であり、両端部に雄ねじが切られている。エンドプレート３，３間に放熱板２を介在させて複数の蓄電装置１が挟み込まれた状態で、各連結部材３ａが両側のエンドプレート３，３の各貫通孔にそれぞれ通されて、連結部材３ａの両端部の雄ねじにナット３ｂ，３ｂがそれぞれねじ込まれている。これによって、エンドプレート３，３間で複数の蓄電装置１に拘束圧が付加されて、拘束された状態になっている。
【００２８】
それでは、図２を参照して、蓄電装置１の検査方法について説明する。蓄電装置１の検査は、充放電工程で蓄電装置１に充放電を行う前あるいは行った後に検査を行う。この充放電工程では、通常、一対の拘束板１０，１０で両側から蓄電装置１を挟み込み、拘束板１０，１０から蓄電装置１に拘束圧を付加しながら充放電を行う。この挟み込み、拘束圧を付加する方向は、蓄電装置１の正極及び負極が積層されている方向である。
【００２９】
拘束板１０は、板状であり、拘束圧を付加できる十分な厚みを有している。拘束板１０は、金属で形成されている。拘束板１０の拘束圧を付加する面は、角型の蓄電装置１の挟み込まれる面よりも十分に広い大きさ及び形状を有している。拘束板１０には、ボルト１０ａを挿入できる貫通孔が複数開口されている。貫通孔の位置は、例えば、拘束板１０の四隅の角部周辺である。特に、一方側の拘束板１０の貫通孔には、雌ねじが切られている。各ボルト１０ａは、蓄電装置１を挟み込んだ拘束板１０，１０の各貫通孔に挿入され、雄ねじが一方側の拘束板１０の貫通孔の雌ねじにねじ込まれる。これによって、拘束板１０，１０間が複数のボルト１０ａで連結され、ボルト１０ａの締結力によって拘束板１０，１０間に拘束圧が付加される。
【００３０】
蓄電装置１の検査を行うために、従来の充放電工程とは異なり、蓄電装置１と各拘束板１０，１０との間に絶縁フィルム１１，１１を介在させる。そして、絶縁フィルム１１を蓄電装置１と拘束板１０との間にそれぞれ介在させた状態で、拘束板１０，１０間で蓄電装置１を拘束する。この状態で、一方側の拘束板１０と蓄電装置１のケース１ａとの間で抵抗検査装置１２によって抵抗検査を行うとともに、他方側の拘束板１０と蓄電装置１のケース１ａとの間で抵抗検査装置１２によって抵抗検査を行う。本実施の形態では、拘束板１０が特許請求の範囲に記載する拘束部材に相当し、絶縁フィルム１１が特許請求の範囲に記載する絶縁部材に相当し、抵抗検査装置１２が特許請求の範囲に記載する短絡検査を行うための装置である。
【００３１】
絶縁フィルム１１は、ケース１ａと拘束板１０との間を絶縁するための部材である。絶縁フィルム１１は、角型の蓄電装置１の挟み込まれる面よりも十分に広い大きさ及び形状を有しており、例えば、拘束板１０の面と同じ大きさ及び形状を有している。絶縁フィルム１１は、蓄電モジュールＭにおいて蓄電装置１の両側に設けられる絶縁フィルム４と同じ厚みであり、同じ材料（同じ材質）で形成された絶縁フィルムとする。なお、絶縁フィルム１１は、検査専用ではなく、蓄電モジュールＭで用いられる絶縁フィルム４を蓄電装置１のケース１ａに貼り付けたものをそのまま利用してもよい。
【００３２】
抵抗検査装置１２は、金属製の拘束板１０と金属製のケース１ａとの間の抵抗値を測定する装置である。抵抗検査装置１２としては、例えば、抵抗値を測定する周知のテスターである。拘束板１０とケース１ａとの間が絶縁フィルム１１で絶縁されている場合、抵抗検査装置１２で測定される抵抗値は非常に大きい値になる。一方、拘束板１０とケース１ａとの間が絶縁フィルム１１が破損して短絡している場合、抵抗検査装置１２で測定される抵抗値は小さい値になる。この抵抗値の差は非常に大きいので、その間の抵抗値を閾値として予め設定しておき、抵抗検査装置１２で測定された抵抗値が閾値より小さい場合には短絡していると判定するようにするとよい。
【００３３】
上記の構成による蓄電装置１に対する短絡検査の作用について説明する。まず、挟込工程では、蓄電装置１と拘束板１０との間に絶縁フィルム１１を介在させた状態で、一対の拘束板１０，１０間に蓄電装置１を挟み込み。さらに、挟込工程では、拘束板１０，１０間を複数のボルト１０ａによって連結し、拘束板１０，１０から蓄電装置１に拘束圧を付加する。なお、充放電工程の充放電を行う場合も、蓄電装置１と拘束板１０との間に絶縁フィルム１１を介在させた状態で充放電を行っても問題ない。
【００３４】
次に、検査工程では、蓄電装置１のケース１ａと一方側の拘束板１０との間に一方側の抵抗検査装置１２を接続するとともに、蓄電装置１のケース１ａと他方側の拘束板１０との間に他方側の抵抗検査装置１２を接続する。さらに、検査工程では、一方側の抵抗検査装置１２での抵抗値を測定するとともに、他方側の抵抗検査装置１２での抵抗値を測定する。そして、各抵抗検査装置１２で測定された各抵抗値が、閾値より小さいか否かを判定する。
【００３５】
例えば、図２に示すように、ケース１ａにキズや打痕等による突起物Ｐがあり、蓄電装置１が拘束板１０，１０間で拘束圧が付加されてその突起物Ｐで絶縁フィルム１１が破られている場合、突起物Ｐ（金属）を介して金属製のケース１ａと突起物Ｐがある側の金属製の拘束板１０との間が短絡（導通）している。そのため、突起物Ｐがある側の抵抗検査装置１２で測定された抵抗値が閾値よりも小さくなり、短絡している（絶縁不良）と判定される。この場合、この蓄電装置１は後工程の蓄電モジュールＭとして組み付けられる工程には用いられず、不良品として扱われる。なお、不良品として扱われる蓄電装置１は、両側の短絡検査で少なくとも一方側で短絡（絶縁不良）と判定されたものである。
【００３６】
ケース１ａに突起物Ｐ等がなく、蓄電装置１が拘束板１０，１０間で拘束圧が付加されも、絶縁フィルム１１が正常に機能している場合、金属製のケース１ａと金属製の拘束板１０との間が絶縁されている。そのため、抵抗検査装置１２で測定された抵抗値が閾値よりも大きくなり、短絡していない（絶縁正常）と判定される。両側の短絡検査で共に短絡していないと判定された場合、この蓄電装置１は後工程の蓄電モジュールＭとして組み付けられる工程に用いられる。
【００３７】
この蓄電装置１の検査方法によれば、蓄電装置１の両側に絶縁フィルム１１を介在させて金属製の拘束板１０，１０間で拘束した状態でケース１ａと拘束板１０との間の短絡検査（特に、抵抗検査）を行うことにより、金属製のケース１ａと金属製の拘束板１０との間が短絡しているか否かを判定でき、ケース１ａに絶縁フィルム１１を破るような突起物Ｐがあるか否か（ひいては、絶縁不良となる蓄電装置１か否か）を推測（判定）できる。その結果、絶縁不良となる蓄電装置１が後工程に使われることはなく、蓄電モジュールＭの直列接続された蓄電装置１，１間の放熱板２を介した短絡を防止することができる。
【００３８】
この蓄電装置１の検査方法では、充放電工程を利用して短絡検査を行うので、短絡検査専用で蓄電装置１を拘束部材で拘束する必要がなく、検査コストや検査工数を低減できる。
【００３９】
以上、本発明に係る実施の形態について説明したが、本発明は上記実施の形態に限定されることなく様々な形態で実施される。
【００４０】
例えば、本実施の形態では蓄電装置の充放電工程を利用して蓄電装置の短絡検査を行う構成としたが、他の工程（例えば、短絡検査以外の蓄電装置に対する検査工程）内で短絡検査を行ってもよいしあるいは短絡検査単独で行ってもよい。
【００４１】
また、本実施の形態では短絡検査として抵抗値を測定する抵抗検査を行う構成としたが、他の短絡検査を行ってもよく、例えば、ケースと拘束板との間の一方側から電流を流し、他方側で電流値を測定し、その測定された電流値を判定して短絡検査を行う。
【符号の説明】
【００４２】
１…蓄電装置、１ａ…ケース、２…放熱板、３…エンドプレート、４…絶縁フィルム、１０…拘束板、１０ａ…ボルト、１１…絶縁フィルム、１２…抵抗検査装置。
【図１】
2015095312.tif 000003
【図２】
2015095312.tif 000004
【図３】
2015095312.tif 000005